【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
画像化デバイスと、画像プロセッサと、を備えたシステムであって、
前記画像化デバイスは、前記画像化デバイス内で燃料フィルタ試料を包囲し、前記燃料フィルタ試料の画像をキャプチャするように構成され、
前記画像プロセッサは、
グラフィカル・ユーザ・インタフェースと、
粒子サイズ閾値及び粒子計数閾値を格納するように構成されたメモリと、
前記グラフィカル・ユーザ・インタフェース及び前記メモリと通信可能に接続したプロセッサと、を備え、
前記プロセッサは、
前記画像化デバイスからキャプチャ画像を受け取り、
前記キャプチャ画像を閾値処理して二値画像を生成し、
前記二値画像内に存在する複数の粒子についてサイズを判定し、
前記複数の粒子の各粒子のサイズを前記粒子サイズ閾値と比較し、
前記複数の粒子のうち前記粒子サイズ閾値より大きいサイズを有する粒子の数を定量化し、
前記複数の粒子のうち前記粒子サイズ閾値より大きいサイズを有する粒子の数を前記粒子計数閾値と比較し、
前記複数の粒子のうち前記粒子サイズ閾値より大きいサイズを有する粒子の数が前記粒子計数閾値未満の場合、前記燃料フィルタ試料が合格状態にあることを示すように前記グラフィカル・ユーザ・インタフェースを変更し、
前記複数の粒子のうち前記粒子サイズ閾値より大きいサイズを有する粒子の数が前記粒子計数閾値以上の場合、前記燃料フィルタ試料が不合格状態にあることを示すように前記グラフィカル・ユーザ・インタフェースを変更する、
ように構成されている、システム。
【請求項２】
前記グラフィカル・ユーザ・インタフェースは、前記キャプチャ画像及び前記二値画像のうち少なくとも１つを表示するように構成されている、請求項１に記載のシステム。
【請求項３】
前記燃料フィルタ試料の画像をキャプチャすることが、前記画像化デバイスが前記燃料フィルタ試料に対して背面照光を施すことを含む、請求項１に記載のシステム。
【請求項４】
前記画像化デバイスは、光源と、第１の包囲部分と、第２の包囲部分と、を備え、
前記燃料フィルタ試料は、前記第２の包囲部分内に配置され、
前記光源は、前記第１の包囲部分内に配置され、前記第２の包囲部分内に配置された前記燃料フィルタ試料に対して背面照光を施す、請求項１に記載のシステム。
【請求項５】
前記プロセッサは、前記燃料フィルタ試料の画像をキャプチャすることを前記画像化デバイスに指示する制御信号を前記画像化デバイスに送るように構成されており、
前記画像化デバイスは、前記制御信号に応答してキャプチャ画像を前記プロセッサに送るように構成されている、請求項１に記載のシステム。
【請求項６】
前記画像化デバイスは、前記燃料フィルタ試料を支持する耐薬品性の半透明ステージを備える、請求項１に記載のシステム。
【請求項７】
前記画像化デバイスは、前記画像化デバイス内で光を反射するように構成された複数の反射性内面を有する筐体を備える、請求項１に記載のシステム。
【請求項８】
前記プロセッサは、出力ファイル要求に応答して出力ファイルを生成するようにさらに構成されており、
前記出力ファイルは、前記二値画像内に存在する前記複数の粒子の少なくとも１つに関連付けられた情報を含む、請求項１に記載のシステム。
【請求項９】
前記プロセッサは、前記二値画像内に存在する前記複数の粒子の少なくとも１つに関連付けられた情報を表示するように前記グラフィカル・ユーザ・インタフェースを変更するように構成されている、請求項１に記載のシステム。
【請求項１０】
前記二値画像内に存在する複数の粒子についてサイズを判定することは、画素を計測単位にマッピングする較正マッピングを使用することを含む、請求項１に記載のシステム。
【請求項１１】
燃料フィルタ検査方法であって、
画像化デバイス内で燃料フィルタ試料を包囲するステップと、
前記画像化デバイスによって、前記燃料フィルタ試料の画像をキャプチャするステップと、
前記画像化デバイスによって、キャプチャ画像を画像プロセッサに送るステップと、
前記画像プロセッサによって、前記キャプチャ画像を受け取るステップと、
前記画像プロセッサによって、前記キャプチャ画像を閾値処理して二値画像を生成するステップと、
前記画像プロセッサによって、前記二値画像内に存在する複数の粒子についてサイズを判定するステップと、
前記画像プロセッサによって、前記複数の粒子の各粒子のサイズを粒子サイズ閾値と比較するステップと、
前記画像プロセッサによって、前記複数の粒子のうち前記粒子サイズ閾値より大きいサイズを有する粒子の数を定量化するステップと、
前記画像プロセッサによって、前記複数の粒子のうち前記粒子サイズ閾値より大きいサイズを有する粒子の数を、粒子計数閾値と比較するステップと、
前記画像プロセッサによって、前記比較に基づいて、前記燃料フィルタ試料の状態を示すようにグラフィカル・ユーザ・インタフェースを変更するステップと、
を含む方法。
【請求項１２】
前記画像プロセッサによって、前記キャプチャ画像及び前記二値画像のうち少なくとも１つを表示するように前記グラフィカル・ユーザ・インタフェースを変更するステップをさらに含む、請求項１１に記載の方法。
【請求項１３】
前記燃料フィルタ試料の画像をキャプチャするステップは、前記画像化デバイスによって前記燃料フィルタ試料に背面照光を施すステップをさらに含む、請求項１１に記載の方法。
【請求項１４】
前記画像プロセッサによって、前記燃料フィルタ試料の画像をキャプチャすることを前記画像化デバイスに指示する制御信号を前記画像化デバイスに送るステップをさらに含む、請求項１１に記載の方法。
【請求項１５】
前記画像プロセッサによって、前記二値画像内に存在する前記複数の粒子の少なくとも１つに関連付けられた情報を表示するように前記グラフィカル・ユーザ・インタフェースを変更するステップをさらに含む、請求項１１に記載の方法。
【請求項１６】
前記二値画像内に存在する複数の粒子についてサイズを判定するステップは、前記画像プロセッサによって、画素を計測単位にマッピングする較正マッピングを用いるステップを含む、請求項１１に記載の方法。
【請求項１７】
グラフィカル・ユーザ・インタフェースと、
粒子サイズ閾値及び粒子計数閾値を格納するように構成されたメモリと、
前記グラフィカル・ユーザ・インタフェース及び前記メモリと通信可能に接続したプロセッサと、を備えた装置であって、
前記プロセッサが、
燃料フィルタ試料を包囲している画像化デバイスによって生成された前記燃料フィルタ試料のキャプチャ画像を前記画像化デバイスから受け取り、
前記キャプチャ画像を閾値処理して二値画像を生成し、
前記二値画像内に存在する複数の粒子についてサイズを判定し、
前記複数の粒子の各粒子のサイズを前記粒子サイズ閾値と比較し、
前記複数の粒子のうち前記粒子サイズ閾値より大きいサイズを有する粒子の数を定量化し、
前記複数の粒子のうち前記粒子サイズ閾値より大きいサイズを有する粒子の数を、前記粒子計数閾値と比較し、
前記複数の粒子のうち前記粒子サイズ閾値より大きいサイズを有する粒子の数が前記粒子計数閾値未満の場合、燃料フィルタ試料が合格状態にあることを示すように前記グラフィカル・ユーザ・インタフェースを変更し、
前記複数の粒子のうち前記粒子サイズ閾値より大きいサイズを有する粒子の数が前記粒子計数閾値以上の場合、燃料フィルタ試料が不合格状態にあることを示すように前記グラフィカル・ユーザ・インタフェースを変更する、
ように構成されている、装置。
【請求項１８】
前記グラフィカル・ユーザ・インタフェースは、前記キャプチャ画像及び前記二値画像の少なくとも１つを表示するように構成されている、請求項１７に記載の装置。
【請求項１９】
前記プロセッサは、前記燃料フィルタ試料の画像をキャプチャすることを前記画像化デバイスに指示する制御信号を前記画像化デバイスに送るようにさらに構成されている、請求項１７に記載の装置。
【請求項２０】
前記二値画像内に存在する複数の粒子についてサイズを判定することは、画素を計測単位にマッピングする較正マッピングを使用することを含む、請求項１７に記載の装置。